(57)【要約】【課題】蓋を摘みを下側にして台などに無造作に載置しても、水滴の落下がなく、また台上を転がらず、さらには台などに載置するときに摘みから手指を離し易い耐熱容器用蓋を提供する。【解決手段】蓋本体５と摘み４からなる。蓋本体５は、中央縦断面が放物線状の曲線である回転体の頭頂部分を平坦にした形状のものであり、この平坦な頭頂部分に上記摘み４を取付ける。  また摘み４は、平面視円形状で、中央部分に溝部７を形成し、この溝部７を中心に対称とし、またこの溝部７の周囲に摘みの頂点８を設け、この摘みの頂点８が、上記蓋本体５の中央縦断面を形作る放物線状の曲線の頂点上に位置する。そして、摘みの頂点８を最下点として接地した場合の接地面から蓋３の重心までの高さが、蓋３を反転して傾斜し接地した場合の蓋３の接地面から蓋の重心までの高さを含め最低となるよう形成する。【選択図】        図１
0003117805.tif 000002
【実用新案登録請求の範囲】
【請求項１】
容器の上端開口を閉塞する蓋本体と、この蓋本体の上部に突設した摘みとからなる耐熱容器用蓋であって、
上記蓋本体は、中央縦断面の外周が放物線状の曲線である回転体の頭頂部分を平坦にした形状のものであり、
この平坦な頭頂部分に上記摘みを取付け、
この摘みは、平面視円形状で、中央部分に溝部を形成し、この溝部を中心に対称であり、またこの溝部の周囲に摘みの頂点を設け、
この摘みの頂点が、上記蓋本体の中央縦断面を形作る放物線状の曲線の頂点上に位置し、
上記摘みの頂点を最下点として接地した場合の接地面から蓋の重心までの高さが、
蓋を反転して傾斜し接地した場合の蓋の接地面から蓋の重心までの高さを含め最低となるよう形成したことを特徴とする耐熱容器用蓋。
【請求項２】
前記溝部は、その周面を湾曲させて皿状にすることを特徴とする請求項１に記載の耐熱容器用蓋。
【請求項３】
前記摘みの頂点を一対とし、溝部を挟み対峙するように配置することを特徴とする請求項１に記載の耐熱容器用蓋。
【考案の詳細な説明】
【技術分野】
【０００１】
本考案は、鍋などの調理用容器や、丼や椀などの食器に使用する蓋の改良に関する。
【背景技術】
【０００２】
従来、鍋などの調理用容器や、丼や椀などの食器（以下、これらを「耐熱容器」と呼ぶ）の蓋には、持ち易くするための摘みを取付けている。
【考案の開示】
【考案が解決しようとする課題】
【０００３】
しかし、このような蓋を耐熱容器から取り外し摘みを下側にして台などに無造作に載置した場合、図７に示すように、蓋３は斜めの状態になる。耐熱容器の内容物である食品が熱い場合には、蓋３の内側（裏側）に蒸気が付着しており、図７の状態では、冷えて水滴となった蒸気が蓋３の縁より落下し、台６上を濡らしてしまう。
また、蓋本体５及び摘み４が平面視円形の場合には、蓋本体５が摘み４を軸として台６上を転がり不安定である。
さらには、蓋３を置くときに、台６と摘み４との間に挟まれ、手指を摘みから離し難い。
【０００４】
本考案は上記課題を解消するもので、蓋を摘みを下側にして台などに無造作に載置しても、水滴の落下がなく、また台上を転がらず、さらには台などに載置するときに摘みから手指を離し易い耐熱容器用蓋を提供することを目的とする。
【課題を解決するための手段】
【０００５】
上記課題を解決するために本考案の耐熱容器用蓋は、耐熱容器用蓋であって、
上記蓋本体は、中央縦断面の外周が放物線状の曲線である回転体の頭頂部分を平坦にした形状のものであり、
この平坦な頭頂部分に上記摘みを取付け、
この摘みは、平面視円形状で、中央部分に溝部を形成し、この溝部を中心に対称であり、またこの溝部の周囲に摘みの頂点を設け、
この摘みの頂点が、上記蓋本体の中央縦断面を形作る放物線状の曲線の頂点上に位置し、
上記摘みの頂点を最下点として接地した場合の接地面から蓋の重心までの高さが、
蓋を反転して傾斜し接地した場合の蓋の接地面から蓋の重心までの高さを含め最低となるよう形成する。
前記溝部は、その周面を湾曲させて皿状にする。
また、前記摘みの頂点を一対とし、溝部を挟み対峙するように配置するとよい。
【０００６】
前記放物線状とは、放物線の他に円弧を含む意味である。
摘みを下側に向け、無造作に蓋を台上に載置すると、摘みの頂点を支点として釣合う（倒立姿勢で釣合う）。
また、摘みの頂点を一対にすると、この頂点を中心にして回転したり、いわゆる独楽の味噌擂り運動のような動きをしたりすることがない。
【考案の効果】
【０００７】
本考案によれば、蓋を台などの上に置くときに、角度を気にせず反転するだけで、起き上がり小法師のように釣合いをとり摘みの頂点を支点にして倒立姿勢で安定する。よって、蓋の内側に付着した蒸気が冷えて水滴になっても、台上に落ちることがない。
また、摘みの頂点を一対にすると、摘みの頂点を中心にして回転することや首振り運動のような動きをすることがなく、倒立姿勢が安定する。また、摘みの頂点が３点以上あるものと比較し、倒立姿勢にすばやく変動すると共に、頂点の高さを揃えるための製作工程が簡便になる
また、摘みの上面の中央部分にある溝部により、台と摘みとの間に手指が挟まれることなく、蓋を円滑に台などの上に載置できる。
【考案を実施するための最良の形態】
【０００８】
以下図面を参照して本考案実施形態を説明する。
【０００９】
図１は本考案実施形態になる耐熱容器用蓋を反転させた直後の状態の側面図、図２は反転後しばらくたった状態の正面図、図３は耐熱容器用蓋の側面の縦断面図、図４は蓋を被せた状態の耐熱容器（鍋）の正面図、図５は耐熱容器用蓋の平面図、図６は蓋が倒立姿勢で安定することを示す作用図である。
耐熱容器１は、上面が開口した有底の容器本体２と、容器本体２の上面を被覆する蓋３からなる。
蓋３は、摘み４と蓋本体５とからなる。
摘み４は、平面視円形状（円形又は楕円形）に形成する。また、摘み４は中央部分に皿状の溝部７を設ける。この溝部７は、手指２，３本分程度の幅（約３〜６ｃｍ）とする。また、摘み４の端部に溝部７を挟み対峙する摘みの頂点８を２点形成し、さらに溝部７を中心に対称となるように形成する。
蓋本体５は、縦断面が放物線状（円弧と放物線の両方を含む）の回転体であり、その頭頂部分９を平坦にし、この頭頂部分９に前記摘み４を取付ける。
そして、蓋３の側面の外周縁が、摘み４を含め同一の円弧又は放物線の上に位置するよう形成する。また、蓋３の側面の外周縁を反転した際の蓋の重心の高さを、頂点８を最下点とした場合に最低となるよう形成する。
【００１０】
上記の耐熱容器１を使用し、食品の煮炊きをした後、蓋３を取り反転、すなわち、摘み４を下に向けて台６上に載置する。
この際に、摘み４上に置く２本又は３本の手指を、前記溝部５内に配置すると、台６と摘み４の間に手指を挟まれることなく簡単に蓋３を載置できる。
その後、蓋３は、図６の（ａ），（ｂ），（ｃ）の順に姿勢を変え、頂点８を最下点とした姿勢（倒立姿勢）で釣り合う。
よって、蓋３の裏面に付着した蒸気が冷却して水滴になっても、蓋３の周縁部からこぼれることがない。また、蓋３を載置する際の角度を気にする必要がない。
また、反転したときに最下点となる頂点８が２つあり、この２点で蓋３を支持するので、１点で支持する場合と比較し反転姿勢を安定して保持できる。
すなわち、１点で支持する場合は、蓋３が頂点を軸とする独楽状のものになり、頂点を軸として回転したり、首振り運動（いわゆる味噌擂り運動）したりするが、２点で支持すればこのようなことはない。
【００１１】
上記実施形態では、耐熱容器１が鍋の場合について説明したが、本考案はこれに限るものではなく、丼や椀のような蓋付きの食器であってもよい。
【００１２】
また、頂点８は、２点でなく、３点以上設けてもよい。ただし、２点にすると、倒立姿勢にすばやく変動すると共に、頂点の高さを揃えるための製作工程が簡便になるという利点がある。
【図面の簡単な説明】
【００１３】
【図１】本考案実施形態になる耐熱容器用蓋を反転させた直後の状態の側面図である。
【図２】耐熱容器用蓋を反転させてしばらくたった状態の正面図である。
【図３】耐熱容器用蓋の側面の縦断面図である。
【図４】蓋を被せた状態の耐熱容器の正面図である。
【図５】耐熱容器用蓋の平面図である。
【図６】蓋が倒立姿勢で安定することを示す作用図である。
【図７】従来の耐熱容器用蓋を台に置いた状態の図である。
【符号の説明】
【００１４】
２    容器本体
３    蓋
４    摘み
５    蓋本体
６    台
７    溝部
８    頂点
９    頭頂部
【図１】
0003117805.tif 000003
【図２】
0003117805.tif 000004
【図３】
0003117805.tif 000005
【図４】
0003117805.tif 000006
【図５】
0003117805.tif 000007
【図６】
0003117805.tif 000008
【図７】
0003117805.tif 000009